(57)【要約】【課題】  ランド部とグルーブ部をそれぞれ記録再生トラックとして用いることにより大容量化に対応した光ディスクからアドレス情報を確実に読み出して再生する。【解決手段】 ランド部及びグルーブ部のトラックに対して、所定周期で予め形成される上記ランド部のアドレス情報が記録される第１のアドレス情報部と上記グルーブ部のアドレス情報が記録される第２のアドレス情報部とが半径方向にずれた位置に配設され、かつ上記アドレス部の端部には、クロック引き込み信号を含む情報部がさらに配設されてなる光ディスク１０から光学ヘッド１２により再生された上記第１のアドレス部及び上記第２のアドレス部のデータに含まれているアドレス情報を読み出し、該再生動作を制御している制御回路１９へ出力する。【選択図】        図９
2006004623.tif 000002
【特許請求の範囲】
【請求項１】
ランド部及びグルーブ部のトラックに対して、所定周期で予め形成される上記ランド部のアドレス情報が記録される第１のアドレス情報部と上記グルーブ部のアドレス情報が記録される第２のアドレス情報部とが半径方向にずれた位置に配設され、かつ上記アドレス部の端部には、クロック引き込み信号を含む情報部がさらに配設されてなる円盤状情報記録媒体における上記ランド部及び上記グルーブ部のトラックのアドレス情報を読み出すアドレス再生回路において、
上記円盤状情報記録媒体から再生された上記第１のアドレス部及び上記第２のアドレス部のデータに含まれているアドレス情報を読み出し、該再生動作を制御している制御回路へ出力することを特徴とするアドレス再生回路。
【請求項２】
上記クロック引き込み信号を含む情報部と隣接するトラックは半径方向に揃っている上記円盤状情報記録媒体から再生された上記第１のアドレス部及び上記第２のアドレス部のデータに含まれているアドレス情報を読み出すことを特徴とする請求項１に記載のアドレス再生回路。
【請求項３】
上記トラックをたどって進むと、上記ランド部とグルーブ部が１周に奇数回切り替わる上記円盤状情報記録媒体から再生された上記第１のアドレス部及び上記第２のアドレス部のデータに含まれているアドレス情報を読み出すことを特徴とする請求項１に記載のアドレス再生回路。
【請求項４】
上記ランド部とグルーブ部が１周に奇数回切り替わる際に、切り替わり位置が少なくとも径方向の１以上のゾーンで径方向に揃って形成され、上記ランド部とグルーブ部の切り替え位置に上記アドレス部が形成されて上記円盤状情報記録媒体から再生された上記第１のアドレス部及び上記第２のアドレス部のデータに含まれているアドレス情報を読み出すことを特徴とする請求項２に記載のアドレス再生回路。
【請求項５】
上記第１のアドレス情報部及び上記第２のアドレス情報部には、同期信号がさらに記録されている上記円盤状情報記録媒体から再生された上記第１のアドレス部及び上記第２のアドレス部のデータに含まれているアドレス情報を読み出すことを特徴とする請求項２に記載のアドレス再生回路。
【請求項６】
上記第1のアドレス情報部及び上記第２のアドレス情報部に記録されている同期信号は、それぞれ異なっている上記円盤状情報記録媒体から再生された上記第１のアドレス部及び上記第２のアドレス部のデータに含まれているアドレス情報を読み出すことを特徴とする請求項５に記載のアドレス再生回路。
【請求項７】
上記第１のアドレス情報部及び上記第２のアドレス情報部には、誤り検出符号を含むアドレス情報ＩＤがさらに記録されてる上記円盤状情報記録媒体から再生された上記第１のアドレス部及び上記第２のアドレス部のデータに含まれているアドレス情報を読み出すことを特徴とする請求項２に記載のアドレス再生回路。
【発明の詳細な説明】
【技術分野】
【０００１】
本発明は、ランド部及びグルーブ部のトラックに対して、所定周期で予め形成される上記ランド部のアドレス情報が記録される第１のアドレス情報部と上記グルーブ部のアドレス情報が記録される第２のアドレス情報部とが半径方向にずれた位置に配設され、かつ上記アドレス部の端部には、クロック引き込み信号を含む情報部がさらに配設されてなる円盤状情報記録媒体における上記ランド部及び上記グルーブ部のトラックのアドレス情報を読み出すアドレス再生回路に関する。
【背景技術】
【０００２】
記録面上の記録再生トラックをレーザビームで走査して各種データの記録／再生を行う光ディスクシステムでは、光ディスクを線速度一定(CLV:Constant Linear Velocity)に回転駆動して、データの記録／再生を行うＣＬＶ方式や、光ディスクを角速度一定(CAV:Constant Angular Velocity) に回転駆動して、データの記録／再生を行うＣＡＶ方式、さらに、空間的な記録密度をディスクの内外周でほぼ一定にして記録効率を上げるようにしたＭＣＡＶ(Modified CAV)方式などが知られている。
【０００３】
従来、光ディスクでは、記録面上に同心円状又は渦巻き状に形成されるランド部又はグルーブ部のどちらか一方が記録再生トラックとして用いられており、一般的には図１３に示すように、渦巻き状に形成されたランド部が記録再生トラックＴＲとして用いられている。
【０００４】
また、トラックに沿って連続的に設けられたプリグルーブを用いてトラッキング制御などを行うコンティニアスサーボ方式や、トラック上に離散的に設けられたサーボエリアを利用してトラッキング制御などを行うサンプルサーボ方式のものが知られている。上記コンティニアスサーボ方式では、ランド部とグルーブ部との光学的位相差を用いてランド部にトラッキングをとって、ランド部すなわち記録再生トラックに対して情報の記録再生を行う。
【０００５】
また、記録再生トラック上には、データの記録再生の管理情報が記録されるアドレス部が設けられている。
【０００６】
ここで、国際標準化機構(ISO:International Organization for Standardization)により規定されたコンティニアスサーボ方式の光ディスクのアドレス部の構成を図１４に示してある。
【０００７】
この図１４に示すアドレス部の構成において、ＶＦＯは、アドレス情報を再生するためのクロックを抽出するためにクロック再生系のフェーズロックドループ(PLL: Phase Locked Loop)をロックさせるため位相情報を多く含んだクロック引込信号である。また、ＡＭは、アドレス情報を再生するためタイミングをとる同期信号である。また、ＩＤは、誤り検出符号を含む実際のアドレス情報である。なお、アドレス部は、以上の組が複数個で構成されることもあり、図１４の例では３重に記録されている。また、先だって、アドレス部の先頭を示す信号ＳＭが付加されることもある。
【０００８】
さらに、光ディスクとしては、再生専用の所謂ＲＯＭディスク、追記型ディスク、光磁気(MO)ディスクなどの記録可能なＲＡＭディスク、ＲＯＭ領域とＲＡＭ領域とを有する所謂ハイブリッドディスクなどが知られている。
【発明の開示】
【発明が解決しようとする課題】
【０００９】
ところで、ディスクの大容量化に対応するために、トラックピッチを詰めて半径方向の密度を高めるようにすると、トラック間のクロストークが問題となり、特にプリフォーマットによるエンボスピットは、隣接トラックへの影響が大きく、プリフォーマットによるエンボスピットとして記録されるアドレス部から隣接トラックのデータ部あるいはアドレス部への影響が問題となる。
【００１０】
また、ディスクの大容量化に対応するための手法として、記録面上のランド部とグルーブ部の物理的条件を最適化して、ランド部とグルーブ部をそれぞれ記録再生トラックとして用いることが考えられる。
【００１１】
そこで、本発明の目的は、上述の如き従来の実情に鑑み、ランド部とグルーブ部をそれぞれ記録再生トラックとして用いることにより大容量化に対応した光ディスクからアドレス情報を確実に読み出して再生することにある。
【００１２】
本発明の更に他の目的、本発明によって得られる具体的な利点は、以下に説明される実施の形態の説明から一層明らかにされる。
【００１３】
【特許文献１】特開平７−１４１７０１号公報
【課題を解決するための手段】
【００１４】
本発明は、ランド部及びグルーブ部のトラックに対して、所定周期で予め形成される上記ランド部のアドレス情報が記録される第１のアドレス情報部と上記グルーブ部のアドレス情報が記録される第２のアドレス情報部とが半径方向にずれた位置に配設され、かつ上記アドレス部の端部には、クロック引き込み信号を含む情報部がさらに配設されてなる円盤状情報記録媒体における上記ランド部及び上記グルーブ部のトラックのアドレス情報を読み出すアドレス再生回路において、上記円盤状情報記録媒体から再生された上記第１のアドレス部及び上記第２のアドレス部のデータに含まれているアドレス情報を読み出し、該再生動作を制御している制御回路へ出力することを特徴とする。
【００１５】
本発明に係るアドレス再生回路では、例えば、上記クロック引き込み信号を含む情報部と隣接するトラックは半径方向に揃っている上記円盤状情報記録媒体から再生された上記第１のアドレス部及び上記第２のアドレス部のデータに含まれているアドレス情報を読み出す。
【００１６】
また、本発明に係るアドレス再生回路では、例えば、上記トラックをたどって進むと、上記ランド部とグルーブ部が１周に奇数回切り替わる上記円盤状情報記録媒体から再生された上記第１のアドレス部及び上記第２のアドレス部のデータに含まれているアドレス情報を読み出す。
【００１７】
また、本発明に係るアドレス再生回路では、例えば、上記ランド部とグルーブ部が１周に奇数回切り替わる際に、切り替わり位置が少なくとも径方向の１以上のゾーンで径方向に揃って形成され、上記ランド部とグルーブ部の切り替え位置に上記アドレス部が形成されて上記円盤状情報記録媒体から再生された上記第１のアドレス部及び上記第２のアドレス部のデータに含まれているアドレス情報を読み出す。
【００１８】
また、本発明に係るアドレス再生回路では、例えば、上記第１のアドレス情報部及び上記第２のアドレス情報部には、同期信号がさらに記録されている上記円盤状情報記録媒体から再生された上記第１のアドレス部及び上記第２のアドレス部のデータに含まれているアドレス情報を読み出す。
【００１９】
また、本発明に係るアドレス再生回路では、例えば、上記第1のアドレス情報部及び上記第２のアドレス情報部に記録されている同期信号は、それぞれ異なっている上記円盤状情報記録媒体から再生された上記第１のアドレス部及び上記第２のアドレス部のデータに含まれているアドレス情報を読み出す。
【００２０】
さらに、本発明に係るアドレス再生回路では、例えば、上記第１のアドレス情報部及び上記第２のアドレス情報部には、誤り検出符号を含むアドレス情報ＩＤがさらに記録されてる上記円盤状情報記録媒体から再生された上記第１のアドレス部及び上記第２のアドレス部のデータに含まれているアドレス情報を読み出す。
【発明の効果】
【００２１】
本発明に係るアドレス再生回路では、ランド部及びグルーブ部のトラックに対して、所定周期で予め形成される上記ランド部のアドレス情報が記録される第１のアドレス情報部と上記グルーブ部のアドレス情報が記録される第２のアドレス情報部とが半径方向にずれた位置に配設され、かつ上記アドレス部の端部には、クロック引き込み信号を含む情報部がさらに配設されてなる円盤状情報記録媒体から再生された上記第１のアドレス部及び上記第２のアドレス部のデータに含まれているアドレス情報を確実に読み出し、該再生動作を制御している制御回路へ出力することができる。
【発明を実施するための最良の形態】
【００２２】
以下、本発明の実施の形態について、図面を参照して詳細に説明する。
【００２３】
本発明を適用する光ディスク記録再生装置において情報の記録再生を行う円盤状情報記録媒体は、例えば図１に示すように構成される。この図１に示した円盤状情報記録媒体は、トラッキング制御用のプリグルーブを有する光ディスクであって、データが記録されるデータ部ＤＡＴＡと上記データの記録再生の管理情報が記録されるアドレス部ＡＤＲとが所定の周期で渦巻き状に形成されている。また、この円盤状情報記録媒体では、グルーブ部及びランド部が両方とも記録再生トラックＴＲとして用いられており、例えば、奇数トラックＴＲodd がランド部に形成され、偶数トラックＴＲevenがグルーブ部に形成されている。この円盤状情報記録媒体では、グルーブ部及びランド部を両方とも記録再生トラックＴＲとして用いることにより、記録密度を高めた記録容量の大きな光ディスクを実現している。
【００２４】
そして、この円盤状情報記録媒体では、奇数トラックＴＲodd に対応するアドレス部ＡＤＲ１と偶数トラックＴＲevenに対応するアドレス部ＡＤＲ２が互いに周方向にずれた位置に配設されている。
【００２５】
上記アドレス部ＡＤＲ１，ＡＤＲ２には、アドレス情報を再生するためのクロックを抽出するためにクロック再生系のフェーズロックドループ(PLL: Phase Locked Loop)をロックさせるため位相情報を多く含んだクロック引込信号ＶＦＯ、アドレス情報を再生するためタイミングをとる同期信号ＡＭ、誤り検出符号を含む実際のアドレス情報ＩＤ等がプリフォーマットによるエンボスピットとして記録される。
【００２６】
一般の変調方式では、両隣のトラックのアドレス部のピットは各種値をとるのでクロストークによって誤検出される虞れがあるが、このように奇数トラックＴＲodd 上のアドレス部ＡＤＲ１と偶数トラックＴＲeven上のアドレス部ＡＤＲ２を互いに異なる半径方向に配設することにより、クロストークによって誤検出される虞れがなくなる。
【００２７】
上述の例では、上記奇数トラックＴＲodd に対応するアドレス部ＡＤＲ１と偶数トラックＴＲevenに対応するアドレス部ＡＤＲ２は互いに周方向にずれた位置に配設され、図２に示すように、アドレス部ＡＤＲ全体として半径方向に揃っているが、必ずしも、アドレス部ＡＤＲ１とアドレス部ＡＤＲ２とが隣接している必要はない。
【００２８】
また、奇数トラックＴＲodd に対応するアドレス部ＡＤＲ１と偶数トラックＴＲevenに対応するアドレス部ＡＤＲ２は、図３に示すように、隣接トラック間でのクロストークが問題とならない同一の信号例えばクロック引込信号ＶＦＯや同期信号ＡＭは半径方向に揃え、トラック毎に異なる値を持つアドレス情報ＩＤodd ，ＩＤevenはクロストークが問題となる半径方向に揃えずに、トラック方向にずらして記録するようにしてもよい。
【００２９】
また、図４に示すように、クロック引込信号ＶＦＯは半径方向に揃え、トラック毎に異なる値を持つアドレス情報ＩＤodd ，ＩＤevenは同期信号ＡＭodd ，ＡＭevenとともに、トラック方向にずらして記録するようにしてもよい。上記同期信号ＡＭodd ，ＡＭevenは互いに異なるパターンとされる。
【００３０】
また、グルーブ部及びランド部を両方とも記録再生トラックＴＲとして用いて記録密度を高めた円盤状情報記録媒体では、例えば図５及び図６に示すように、１周に１回グルーブ部及びランド部を入れ替えて、カッティングしておくことにより、トラックの連続性を確保することができる。
【００３１】
そして、ランド部からグルーブ部に変わる部分にはグルーブ部に隣接させてアドレス部ＡＤＲ１を設け、グルーブ部からランド部に変わる部分にはランド部に隣接させてアドレス部ＡＤＲ２を設ける。ランド部からグルーブ部に変わる奇数トラックＴＲodd ではアドレス部ＡＤＲ１のアドレス情報を用い、グルーブ部からランド部に変わる偶数トラックＴＲevenではアドレス部ＡＤＲ２のアドレス情報を用いる。
【００３２】
ここで、上記アドレス部ＡＤＲ１とアドレス部ＡＤＲ２における上記同期信号ＡＭodd ，ＡＭevenを互いに異なるパターンとしておくことにより、タイミング管理されていなくてもアドレス再生やトラッキング極性の切り替えを行うことができる。
【００３３】
また、上記グルーブ部とランド部の入れ替えは、１周に１回である必要はなく、例えば１周の３回の例を図７に示してあるように、１周に奇数回であれば、トラックの連続性を確保することができる。
【００３４】
さらに、複数ゾーンに分割して空間的な記録密度をディスクの内外周でほぼ一定にして記録効率を上げるようにしたＭＣＡＶ(Modified CAV)方式を採用した円盤状情報記録媒体では、ゾーン毎に１周のアドレス個数、位置、グルーブ部とランド部の入れ替え回数や位置を変えるようにする。
【００３５】
上述の図１に示した円盤状情報記録媒体の記録／再生系では、誤ったセクタ（位置）に記録したり、所望のところ以外のデータを再生することは許されないが、記録再生する目標セクタがランド部上にあるかグルーブ部上にあるかは予め判っているので、目標セクタがランド部上にあるかグルーブ部上にあるかにより上記アドレス部ＡＤＲ１とアドレス部ＡＤＲ２を選択して再生すればよい。クロストークが多く正確に再生できないアドレスは再生しなくてもよく、必要とされるアドレス部のみを再生すればよい。
【００３６】
また、グルーブ部上にトラッキングが掛かっている場合、そのままアドレス部ＡＤＲ２に突入するとトラッキング情報はオンピットの状態からオングルーブの状態になり、アドレス部ＡＤＲ２は再生できる。よってアドレス部ＡＤＲ２を情報として用いる。また、グルーブ部上にトラッキングが掛かっている場合に、そのままアドレス部ＡＤＲ１に突入するとトラッキング情報はオンピットの状態からオンランドの状態になり、アドレス部ＡＤＲ１は再生できない両側からのクロストーク成分による信号である。したがって、アドレス部ＡＤＲ１の情報は用いない。
【００３７】
また、目標アドレスにシークするために現在の位置を知る目的でアドレス再生を行う場合には、１トラックくらいの誤差があっても問題にはならないので、上記アドレス部ＡＤＲ１とアドレス部ＡＤＲ２を意識しないで再生して、再生できるところのアドレス情報を用いればよい。
【００３８】
一般にアドレス誤りの検出確率を上げるために、アドレス情報の中には検出符号等が入っているので、アドレス再生の際に上記検出符号等を用いて誤り検出を行って、誤りのなかったアドレス部ＡＤＲ１、ＡＤＲ２の情報だけを用いるようにすることができる。例えばランド部上であればアドレス部ＡＤＲ２はクロストークの影響で誤った信号が再生され、アドレス部ＡＤＲ１がオントラックなので正常に再生されることになり、上記アドレス部ＡＤＲ２の情報は誤り検出により誤りが検出されるが、上記アドレス部ＡＤＲ１の情報が誤り検出によっても正常に検出されるので、このアドレス部ＡＤＲ１の情報が用いられる。このような場合でも、厳密な位置情報を必要とする場合には、トラッキングを掛けて再生すればよい。さらに、記録再生用の場合と同様にランド部上にあるかグルーブ部上にあるかによって上記アドレス部ＡＤＲ１とアドレス部ＡＤＲ２を選択して再生してよい。
【００３９】
ランド部上にトラッキングを掛けていた場合、アドレス部ＡＤＲ１に入るときにはトラッキングの極性を切り替えることによりアドレスのピットにトラッキングが掛かりアドレス部ＡＤＲ１を再生することができる。その後でトラッキングの極性を元に戻すことにより、続くデータ部ＤＡＴＡにおいてデータの記録再生を正常に行うことができる。
【００４０】
ここで、ランド部上のデータ部ＤＡＴＡに対する記録再生について説明する。
【００４１】
ランド部上にトラッキングが掛けられるので、再生ＲＦ信号は、図８に示すようになる。再生専用のＲＯＭディスクやデータ検出を反射光量差により行う相変化型の光ディスクや色素系の光ディスクではデータ部ＤＡＴＡに何らかの信号がでてくる場合もある。また、アドレス部１では、隣接トラックからのクロストークによるアドレス情報が漏れ込んでくる。
【００４２】
ＣＲＣが誤り検出であり、アドレス情報の中にある誤り検出符号を用いて行う。アドレス部中でＰＬＬロックされ、同期信号が検出されたらアドレス情報を再生しながら誤り検出を行う。アドレス情報の終わりで誤りも終了される（ＣＲＣ＝Ｈｉ）。したがって、データ部ＤＡＴＡでは再生信号があってもＣＲＣ＝Ｈｉとなることはない。アドレス部２では、隣接トラックの影響で正しいデータとは成りにくいのでＣＲＣ＝Ｈｉとなる可能性は低い。アドレス部ＡＤＲ１では、当然正しいデータの再生信号が得られるのでＣＲＣ＝Ｈｉとなる。
【００４３】
図９は、上述した構成の円盤状記録媒体である光ディスク１０に対して、データを記録又は再生する光ディスク記録再生装置の構成例を示している。
【００４４】
この光ディスク記録再生装置において、スピンドルモータ１１は、制御回路１９により制御され光ディスク１０を所定速度で回転させる。また、光学ヘッド１２は、光ディスク１０に対してレーザ光を照射し、光ディスク１０に対してデータを記録するとともに、その反射光からデータを再生する。また、トラッキングサーボ回路１３は、例えばプッシュプル法に基づき、トラッキングエラー信号を生成し、このトラッキングエラー信号に対応して制御回路１９により制御され、光学ヘッド１２を駆動させる。また、フォーカス回路１４は、例えば非点収差法に基づきフォーカスエラー信号を生成し、このフォーカスエラー信号に対応して制御回路１９により制御され、光学ヘッド１２の図示しない対物レンズを駆動させる。
【００４５】
また、記録再生回路１５は、コントローラ１６から入力される記録データを変調などを行って光学ヘッド１２に出力するとともに、光学ヘッド１２から出力される再生データをコントローラ１６へ出力する。
【００４６】
アドレス再生回路１７は、光学ヘッド１２により再生されたデータに含まれているアドレス情報を読み出しタイミング生成回路１８及び制御回路１９へ出力する。また、タイミング生成回路１８は、例えばトラック内のタイミングをとる回路であり、アドレス再生回路１７からのアドレス検出信号（アドレス情報）により初期化される。この初期化により例えば次のアドレス位置などの予測が可能となる。また、タイミング生成回路１８は、アドレス再生回路１７とは異なり、基準クロックで動作する。さらに、タイミング生成回路１８は、トラッキングサーボ回路１３へ極性切り替え信号を出力する。
【００４７】
また、スレッドモータ２０は、制御回路１９により制御され、光学ヘッド１２を光ディスク１０の所定のトラック位置に移送する。
【００４８】
図１０は、図９に示すアドレス再生回路１７の詳細を示すブロック図である。
【００４９】
図１０のブロック図に示すアドレス再生回路１７において、再生ＲＦ信号は、抜取回路１０１を介してシリアル／パラレル変換用のレジスタ１０２に供給され、このレジスタ１０２の出力がアドレスレジスタ１０３に取り込まれる。
【００５０】
上記抜取回路１０１は、取り込み信号ＣＲＣＯＫ（ＣＲＣ＝Ｈｉ）により再生ＲＦ信号を抜き取って、上記シリアル／パラレル変換用のレジスタ１０２に供給する。そして、このレジスタ１０２に蓄えられたデータをＣＲＣ＝Ｈｉでアドレス情報としてアドレスレジスタ１０３へ取り込む。
【００５１】
上記タイミング生成回路１８から誤り検出がなされる位置に余裕を与えて出力される制御信号ＥＮにより制御されるゲート回路１０４を介して、上記アドレスレジスタ１０３への取り込み信号ＣＲＣＯＫ（ＣＲＣ＝Ｈｉ）をゲートすることにより、該アドレスレジスタ１０３へ取り込むアドレス情報を正確にする。
【００５２】
また、アドレス情報再生時のトラッキング具体例について説明する。
【００５３】
例えば、ランド部上のデータ部ＤＡＴＡにデータの記録再生を行う場合のピックアップの軌跡に対応するトラッキングエラー信号のＳ字カーブは、図１１に示してあるように、データ部ＤＡＴＡとアドレス部ＡＤＲ１とでトラッキングエラー信号のＳ字カーブが逆になる。トラッキングをかけるにはＳ字カーブの０クロスに合わせればよいがドライブ方向を逆にする必要がある。アドレス部ＡＤＲ１では、図１２に示すように、光学ヘッド１２内の分割ディテク２０１から演算増幅器２０２を介して得られるトラッキングエラー信号をトラッキングサーボ回路１３内の極性切替回路２０３により極性を切り替えてドライブ回路２０４に供給する。その極性切り替え信号は、タイミング生成回路１８から出力されるが、サーボの安定性のために、抜取回路１０１からのタイミングを使うとよい。抜取回路１０１では、管理している大まかなタイミングではなく、実際にアドレス部ＡＤＲ２の再生終了タイミングが正確に得られるので、アドレス部ＡＤＲ２の再生終了後直ちに極性切り替えを行う。同様にアドレス部ＡＤＲ１再生終了後直ちに極性を戻すこともできる。
【００５４】
同一トラッキング上で、ランド部とグルーブ部とが切り替わり、その切り替わり位置にアドレス部ＡＤＲが配置された円盤状情報記録媒体では、アドレス部ＡＤＲ１再生終了後直ちに極性を戻す必要がないので、そのままの極性を維持するようにする。
【００５５】
また、上記アドレス部ＡＤＲ１とアドレス部ＡＤＲ２における上記同期信号ＡＭodd ，ＡＭevenを互いに異なるパターンとした円盤状情報記録媒体では、例えばランド部に対してデータの記録再生を行う場合、アドレス部ＡＤＲ１を用いる。すなわち、同期信号ＡＭodd を検出することから始める。同期信号ＡＭodd は、アドレス部ＡＤＲ１のためのユニークパターンであり、アドレス部ＡＤＲ２で検出されることはない。よって、アドレス部ＡＤＲ２では、抜き取りを行わない。具体的には、誤り検出を行わない。したがって、アドレス部ＡＤＲ２で仮に再生信号が得られても、ＣＲＣ＝Ｈｉがたつことはなくアドレス情報はアドレスレジスタにロードされることはない。結局所望のアドレス部ＡＤＲ１の情報がアドレスレジスタにロードされることになる。
【００５６】
また、グルーブ部に対してデータの記録再生を行う場合、アドレス部ＡＤＲ２を用いる。すなわち、同期信号ＡＭevenを検出することから始める。同期信号ＡＭevenは、アドレス部ＡＤＲ２のためのユニークパターンであり、アドレス部ＡＤＲ１で検出されることはない。よって、アドレス部ＡＤＲ１では、抜き取りを行わない。具体的には、誤り検出を行わない。したがって、アドレス部ＡＤＲ１で仮に再生信号が得られても、ＣＲＣ＝Ｈｉがたつことはなくアドレス情報はアドレスレジスタにロードされることはない。結局所望のアドレス部ＡＤＲ２の情報がアドレスレジスタにロードされることになる。
【００５７】
さらに、記録再生時以外、例えばシーク前に現在のトラック位置を知りたい場合や、シーク後に到達したトラックを確認したいなどのように大まかな位置を知りたい場合や、あるいはトラッキングがとれていなくてもともかく位置を知りたい場合などには、アドレス部ＡＤＲ１，ＡＤＲ２を限定しないで両方読めばよい。すなわち、各同期信号ＡＭodd ，ＡＭevenの検出を行えば良い。
【００５８】
また、アドレス部ＡＤＲ１，ＡＤＲ２は、それぞれグルーブ，ランドに対して１／２ピッチずらし記録しても良い。
【図面の簡単な説明】
【００５９】
【図１】本発明を適用する光ディスク記録再生装置において情報の記録再生を行う円盤状情報記録媒体の要部構成を模式的に示す平面図である。
【図２】上記円盤状情報記録媒体における奇数トラック上のアドレス部と偶数トラック上のアドレス部の配置を模式的に示す平面図である。
【図３】上記各アドレス部の記録内容の１例を説明するため図である。
【図４】上記各アドレス部の記録内容の他の例を説明するため図である。
【図５】グルーブ部とランド部を１周に１回入れ替えて連続した記録再生トラックとして用いた円盤状情報記録媒体の上記グルーブ部とランド部を入れ替えて部分を示す図である。
【図６】グルーブ部とランド部を１周に１回入れ替えて連続した記録再生トラックとして用いた円盤状情報記録媒体を示す図である。
【図７】グルーブ部とランド部を１周に３回入れ替えて連続した記録再生トラックとして用いた円盤状情報記録媒体を示す図である。
【図８】ランド部上のデータ部に対する記録再生を説明するためのタイムチャートである。
【図９】上記円盤状情報記録媒体に対してデータを記録又は再生する光ディスク記録再生装置の概略構成を示すブロック図である。
【図１０】上記光ディスク記録再生装置におけるアドレス処理回路の構成を示すブロック図である。
【図１１】ランド部上のデータ部にデータの記録再生を行う場合のピックアップの軌跡に対応するトラッキングエラー信号のＳ字カーブを示す図である。
【図１２】トラッキングドライブの極性切り替えを行うための回路構成を示すブロック図である。
【図１３】一般的な光ディスクにおける記録再生トラックを示す図である。
【図１４】ＩＳＯにより規定されたコンティニアスサーボ方式の光ディスクのアドレス部の構成を模式的に示す図である。
【符号の説明】
【００６０】
ＤＡＴＡ データ部、 ＡＤＲ１，ＡＤＲ２ アドレス部、１０ 光ディスク、１１ スピンドルモータ、１２ 光学ヘッド、１３ トラッキングサーボ回路、１５ 記録再生回路、１６ コントローラ、１７ アドレス再生回路、１８タイミング生成回路、１９ 制御回路
【図１】
2006004623.tif 000003
【図２】
2006004623.tif 000004
【図３】
2006004623.tif 000005
【図４】
2006004623.tif 000006
【図５】
2006004623.tif 000007
【図６】
2006004623.tif 000008
【図７】
2006004623.tif 000009
【図８】
2006004623.tif 000010
【図９】
2006004623.tif 000011
【図１０】
2006004623.tif 000012
【図１１】
2006004623.tif 000013
【図１２】
2006004623.tif 000014
【図１３】
2006004623.tif 000015
【図１４】
2006004623.tif 000016